(57)【特許請求の範囲】
【請求項１】
収穫前処理部が自走機体の前部に連結され、前記収穫前処理部の最も右側に位置する引起し装置の上部の機体横外側に、側面視で前記引起し装置の上部と重複する状態で、縦長の右の前照灯装置が固設されるとともに、前記収穫前処理部の最も左側に位置する引起し装置の上部の機体横外側に、側面視で引起し装置の上部と重複する状態で、縦長の左の前照灯装置が固設され、
前記右の前照灯装置のバルブ及びリフレクタが前記右の前照灯装置の上部に位置するように、且つ、前記右の前照灯装置の別のバルブ及び別のリフレクタが前記右の前照灯装置の下部に位置するように、前記右の前照灯装置のバルブと前記右の前照灯装置の別のバルブとが上下方向に並べて配置されるとともに、前記左の前照灯装置のバルブ及びリフレクタが前記左の前照灯装置の上部に位置するように、且つ、前記左の前照灯装置の別のバルブ及び別のリフレクタが前記左の前照灯装置の下部に位置するように、前記左の前照灯装置のバルブと前記左の前照灯装置の別のバルブとが上下方向に並べて配置され、
前記最も右側に位置する引起し装置の横外側に右のサイドカバーが連設され、前記右のサイドカバーの前向き板部と横向き板部とに亘って切欠き形成された組み付け孔に、前記右の前照灯装置が組み付けられるとともに、前記最も左側に位置する引起し装置の横外側に左のサイドカバーが連設され、前記左のサイドカバーの前向き板部と横向き板部とに亘って切欠き形成された組み付け孔に、前記左の前照灯装置が組み付けられ、
前記右の前照灯装置のレンズが、その前面側が前記右のサイドカバーの前記前向き板部に沿い、且つ、その外側面側が前記前面側に連続して繋がるとともに前記右のサイドカバーの前記横向き板部に沿う形状に形成され、
前記左の前照灯装置のレンズが、その前面側が前記左のサイドカバーの前記前向き板部に沿い、且つ、その外側面側が前記前面側に連続して繋がるとともに前記左のサイドカバーの前記横向き板部に沿う形状に形成されている収穫機。
【請求項２】
前記右の前照灯装置は、前記収穫前処理部の前方及び右横外側方を照射可能であり、且つ、前記左の前照灯装置は、前記収穫前処理部の前方及び左横外側方を照射可能である請求項１に記載の収穫機。
【請求項３】
前記右の前照灯装置は、前記最も右側に位置する引起し装置の右真横外側方を照射可能であり、且つ、前記左の前照灯装置は、前記最も左側に位置する引起し装置の左真横外側方を照射可能である請求項１または２に記載の収穫機。
【請求項４】
前記右のサイドカバーの前記組み付け孔が縦長に形成され、且つ、前記左のサイドカバーの前記組み付け孔が縦長に形成されている請求項１から３の何れか一項に記載の収穫機。
【請求項５】
前記右の前照灯装置の前記レンズ及び前記左の前照灯装置の前記レンズが、縦長に形成されている請求項４に記載の収穫機。
【請求項６】
前記右の前照灯装置の前記レンズの横外面は、側面視で、下部が下端側ほど細くなるとともに、上部が上端側ほど細くなる形状に形成され、且つ、前記左の前照灯装置の前記レンズの横外面は、側面視で、下部が下端側ほど細くなり、上部が上端側ほど細くなる形状に形成されている請求項１から５の何れか一項に記載の収穫機。
【請求項７】
前記右の前照灯装置は、前記右の前照灯装置の上端が前記最も右側に位置する引起し装置の上端よりも上側に位置するように、前記最も右側に位置する引起し装置の上端部の機体横外側に固設され、且つ、前記左の前照灯装置は、前記左の前照灯装置の上端が前記最も左側に位置する引起し装置の上端よりも上側に位置するように、前記最も左側に位置する引起し装置の上端部の機体横外側に固設されている請求項１から６の何れか一項に記載の収穫機。
【発明の詳細な説明】
【技術分野】
【０００１】
本発明は、収穫前処理部を自走機体の前部に連結した収穫機に関する。
【背景技術】
【０００２】
従来の収穫機としては、特許文献１に記載のものがある。
【先行技術文献】
【特許文献】
【０００３】
【特許文献１】実開昭６３−２３１４３号公報（２−５頁、第１−３図）
【発明の概要】
【発明が解決しようとする課題】
【０００４】
本発明の目的は、夜間の作業も移動走行も行いやすいものでありながら構造面でも操作面でも有利な状態に得ることができる収穫機を提供することにある。
【課題を解決するための手段】
【０００５】
本発明の特徴は、
収穫前処理部が自走機体の前部に連結され、前記収穫前処理部の最も右側に位置する引起し装置の上部の機体横外側に、側面視で前記引起し装置の上部と重複する状態で、縦長の右の前照灯装置が固設されるとともに、前記収穫前処理部の最も左側に位置する引起し装置の上部の機体横外側に、側面視で引起し装置の上部と重複する状態で、縦長の左の前照灯装置が固設され、
前記右の前照灯装置のバルブ及びリフレクタが前記右の前照灯装置の上部に位置するように、且つ、前記右の前照灯装置の別のバルブ及び別のリフレクタが前記右の前照灯装置の下部に位置するように、前記右の前照灯装置のバルブと前記右の前照灯装置の別のバルブとが上下方向に並べて配置されるとともに、前記左の前照灯装置のバルブ及びリフレクタが前記左の前照灯装置の上部に位置するように、且つ、前記左の前照灯装置の別のバルブ及び別のリフレクタが前記左の前照灯装置の下部に位置するように、前記左の前照灯装置のバルブと前記左の前照灯装置の別のバルブとが上下方向に並べて配置され、
前記最も右側に位置する引起し装置の横外側に右のサイドカバーが連設され、前記右のサイドカバーの前向き板部と横向き板部とに亘って切欠き形成された組み付け孔に、前記右の前照灯装置が組み付けられるとともに、前記最も左側に位置する引起し装置の横外側に左のサイドカバーが連設され、前記左のサイドカバーの前向き板部と横向き板部とに亘って切欠き形成された組み付け孔に、前記左の前照灯装置が組み付けられ、
前記右の前照灯装置のレンズが、その前面側が前記右のサイドカバーの前記前向き板部に沿い、且つ、その外側面側が前記前面側に連続して繋がるとともに前記右のサイドカバーの前記横向き板部に沿う形状に形成され、
前記左の前照灯装置のレンズが、その前面側が前記左のサイドカバーの前記前向き板部に沿い、且つ、その外側面側が前記前面側に連続して繋がるとともに前記左のサイドカバーの前記横向き板部に沿う形状に形成されている点にある。
【０００６】
本発明においては、前記右の前照灯装置は、前記収穫前処理部の前方及び右横外側方を照射可能であり、且つ、前記左の前照灯装置は、前記収穫前処理部の前方及び左横外側方を照射可能であると好適である。
【０００７】
本発明においては、前記右の前照灯装置は、前記最も右側に位置する引起し装置の右真横外側方を照射可能であり、且つ、前記左の前照灯装置は、前記最も左側に位置する引起し装置の左真横外側方を照射可能であると好適である。
【０００８】
本発明においては、前記右のサイドカバーの前記組み付け孔が縦長に形成され、且つ、前記左のサイドカバーの前記組み付け孔が縦長に形成されていると好適である。
【０００９】
本発明においては、前記右の前照灯装置の前記レンズ及び前記左の前照灯装置の前記レンズが、縦長に形成されていると好適である。
【００１０】
本発明においては、前記右の前照灯装置の前記レンズの横外面は、側面視で、下部が下端側ほど細くなるとともに、上部が上端側ほど細くなる形状に形成され、且つ、前記左の前照灯装置の前記レンズの横外面は、側面視で、下部が下端側ほど細くなり、上部が上端側ほど細くなる形状に形成されていると好適である。
本発明においては、前記右の前照灯装置は、前記右の前照灯装置の上端が前記最も右側に位置する引起し装置の上端よりも上側に位置するように、前記最も右側に位置する引起し装置の上端部の機体横外側に固設され、且つ、前記左の前照灯装置は、前記左の前照灯装置の上端が前記最も左側に位置する引起し装置の上端よりも上側に位置するように、前記最も左側に位置する引起し装置の上端部の機体横外側に固設されていると好適である。
【図面の簡単な説明】
【００１１】
【図１】コンバイン全体の側面図
【図２】刈取り前処理部の正面図
【図３】刈取り前処理部の前照灯配設部を示す斜視図
【図４】前照灯の断面図
【図５】（ａ）は、刈取り前処理部の下降作業状態での前照灯の照明状態を示す側面図、（ｂ）は、刈取り前処理部の上昇非作業状態での前照灯の照明状態を示す側面図
【図６】刈取り前処理部の下降作業状態での前照灯の照明状態を示す平面図
【図７】操作スイッチの平面図
【発明を実施するための形態】
【００１２】
以下、本発明の実施例を図面に基づいて説明する。
図１に示すように、クローラ走行装置１によって自走し、かつ、運転座席２を有した運転部３などを備えた自走機体の機体フレーム４の前部に、刈取り前処理部１０の前処理部フレーム１１の基部を回動自在に連結するとともに、この前処理部フレーム１１にリフトシリンダ５を連動させ、前記機体フレーム４の後部側に脱穀装置６及び穀粒タンク７を設けて、稲、麦などを収穫するコンバインを構成してある。
【００１３】
すなわち、リフトシリンダ５を伸縮操作すると、このリフトシリンダ５が前処理部フレーム１１を機体フレーム４に対して上下に揺動操作し、刈取り前処理部１０を固定分草具１２などが地面上近くに位置した下降作業状態と、固定分草具１２などが地面上から高く上昇した上昇非作業状態とに自走機体に対して揺動昇降操作する。刈取り前処理部１０を下降作業状態にして自走機体を走行させると、刈取り前処理部１０は、図２，３の如く刈取り前処理部１０の前端部にこの刈取り前処理部１０の機体横方向に並べて固定された複数個の固定分草具１２によって植立穀稈を刈取り対象と非刈取り対象とに分草し、かつ、複数の刈取り対象の植立穀稈列の植立穀稈を後方の所定の引起し経路（図示せず）に入るように分草し、固定分草具１２からの植立穀稈を、各引起し経路に上端側ほど機体後方側に位置する若干後上がり状態の傾斜姿勢で設けた引起し装置１３の引起し爪１３ａによって引起し処理するとともに、引起し経路の終端部に位置するバリカン形の刈取装置１４によって刈取り処理し、刈取装置１４からの刈取穀稈を供給装置１５によって機体後方向きに搬送して脱穀装置６の脱穀フィードチェーン６ａの始端部に供給する。脱穀装置６は、脱穀フィードチェーン６ａによって刈取穀稈の株元側を機体後方側に挟持搬送しながらその穂先側を扱室（図示せず）に供給して脱穀処理する。穀粒タンク７は、脱穀装置６からの脱穀粒を回収して貯留していくようになっている。
【００１４】
図２などに示すように、刈取り前処理部１０の前部の両横側であって、前処理部機体の横方向に並ぶ前記複数の引起し装置１３のうちの最も機体横外側に位置する引起し装置１３の上端部のやや機体横外側に位置する部位に、前照灯装置２０を固設してある。
【００１５】
図２，３，４に示すように、前記左右の前照灯装置２０は、前処理サイドカバー１６の機体前方向きの前向き板部１６ａと、機体横外向きの横向き板部１６ｂとにわたって切欠きを形成することによって前処理サイドカバー１６に設けた組み付け孔１７に組み付けてある。これにより、左右の前照灯装置２０は、前処理サイドカバー１６の前記前向き板部１６ａと前記横向き板部１６ｂとによってかこまれた隅部に位置しており、かつ、前照灯装置２０のレンズ２１が前処理サイドカバー１６の前記前向き板部１６ａ及び前記横向き板部１６ｂから突出しないとかあまり突出しなくなっている。
【００１６】
図３などに示すように、前記左右の前照灯装置２０は、前処理部機体の上下方向に並ぶ一対の前照灯２２，２３を備えて構成してある。左右の前照灯装置２０における上下一対の前照灯２２，２３のうちの前処理部機体上方側に位置する第１前照灯２２も、前処理部機体下方側に位置する第２前照灯２３も、前記前処理サイドカバー１６の前記組み付け孔１７の内部に配置して前処理サイドカバー１６に固定されたリフレクタ２２ａ，２３ａ、図４の如くこのリフレクタ２２ａ，２３ａの底部に位置するバルブ支持部２２ｂ，２３ｂに取り付けたバルブ２２ｃ，２３ｃ、リフレクタ２２ａ，２３ａの前側に固定されたレンズ２１を備えて構成してある。第１前照灯２２のリフレクタ２２ａと、第２前照灯２３のリフレクタ２３ａとは、一体部品に成形してある。第１前照灯２２のレンズ２１と、第２前照灯２３のレンズ２１とは、一体部品に成形してある。なお、リフレクタ２３ａが本発明の「別のリフレクタ」に相当し、バルブ２３ｃが本発明の「別のバルブ」に相当する。
【００１７】
図６に刈取り前処理部１０が下降作業状態に下降された際に左右の前照灯装置２０によって照射される自走機体平面視での照射範囲を示し、図５（ａ）に刈取り前処理部１０が下降作業状態に下降された際に左右の前照灯装置２０が照射する自走機体側面視での照射範囲を示し、図５（ｂ）に刈取り前処理部１０がストロークエンドまで上昇した上昇非作業状態に上昇された際に左右の前照灯装置２０が照射する自走機体側面視での照射範囲を示すように、刈取り前処理部１０が下降作業状態に下降された際、左側の前照灯装置２０がこれの第１前照灯２２と第２前照灯２３とにより、車体横方向に並ぶ前記固定分草具１２のうちの最も車体左横外側に位置する固定分草具１２及びこの固定分草具１２の左横外側方と前方の地面上を照射する照射範囲ＬＤを照射し、右側の前照灯装置２０がこれの第１前照灯２２と第２前照灯２３とにより、車体横方向に並ぶ前記固定分草具１２のうちの最も車体右横外側に位置する固定分草具１２及びこの固定分草具１２の右横外側方と前方の地面上を照射する照射範囲ＲＤを照射する。刈取り前処理部１０がストロークエンドまで上昇された上昇非作業状態に上昇された際、左側の前照灯装置２０がこれの第１前照灯２２と第２前照灯２３とにより、刈取り前処理部１０が下降作業状態にある場合の前記照射範囲ＬＤよりも自走機体から前方に離れた地面上を照射する照射範囲ＬＵを照射し、右側の前照灯装置２０がこれの第１前照灯２２と第２前照灯２３とにより、刈取り前処理部１０が下降作業状態にある場合の前記照射範囲ＲＤよりも自走機体から前方に離れた地面上を照射する照射範囲ＲＵを照射するように、左右の前照灯装置２０を次の如く構成してある。
【００１８】
すなわち、図４に示すように、左側の前照灯装置２０において、この前照灯装置２０の自走機体平面視での照射向きがやや左横外向きの照射向きになるように、第１前照灯２２及び第２前照灯２３のバルブ２２ｃ，２３ｃ及びリフレクタ２２ａ，２３ａを、自走機体の前後向きに対して約１５度の傾斜角度Ａで左横外向きに傾斜した取り付け姿勢で支持させてある。
【００１９】
右側の前照灯装置２０において、図示しないが、この前照灯装置２０の自走機体平面視での照射向きがやや右横外向きの照射向きになるように、第１前照灯２２及び第２前照灯２３のバルブ２２ｃ，２３ｃ及びリフレクタ２２ａ，２３ａを、左側の前照灯装置２０と同様に自走機体の前後向きに対して約１５度の傾斜角度Ａで右横外向きに傾斜した取り付け姿勢で支持させてある。
【００２０】
左側の前照灯装置２０においても、右側の前照灯装置２０においても、第２前照灯２３のリフレクタ２３ａの照射方向を、第１前照灯２２のリフレクタ２２ａの照射方向より下向きに設定することにより、第２前照灯２３の照射向きを第１前照灯２２の照射向きより下向きに設定してある。つまり、刈取り前処理部１０が下降作業状態に下降された場合においても、上昇作業状態に上昇された場合においても、前処理部機体上方側に位置する第１前照灯２２と、前処理部機体下方側に位置する第２前照灯２３とは、第２前照灯２３による照射範囲が第１前照灯２２による照射範囲よりも自走機体後方側に位置する状態になって照明するように設定してある。
【００２１】
左右の前照灯装置２０，２０のための操作スイッチ３０を運転部３に設けてある。
図７に示すように、前記操作スイッチ３０は、操作具３１が消灯位置ＯＦＦ、第１点灯位置ＯＮ１、第２点灯位置ＯＮ２の３つの操作位置に回転操作自在に備えられた切り換えスイッチで成り、操作具３１を消灯位置ＯＦＦに操作することにより、左右の前照灯装置２０，２０を第１前照灯２２も第２前照灯２３も消灯した消灯状態に切り換え操作し、操作具３１を第１点灯位置ＯＮ１に操作することにより、左右の前照灯装置２０，２０を第１前照灯２２が消灯し、第２前照灯２３が点灯した片灯火状態に切り換え操作し、操作具３１を第２点灯位置ＯＮ２に操作することにより、左右の前照灯装置２０，２０を第１前照灯２２も第２前照灯２３も点灯した両灯火状態に切り換え操作するようになっている。
【００２２】
つまり、作業走行を行なう際、操作スイッチ３０の回転操作具３１を第２点灯位置ＯＮ２に操作しておく。すると、左右の前照灯装置２０，２０が第１前照灯２２も第２前照灯２３も点灯した両灯火状態になる。そして、作業時には刈取り前処理部１０が下降作業状態に下降されることから、左側の前照灯装置２０によって最も左横端の固定分草具１２及びこの固定分草具１２の前方の地面上が照明され、右側の前照灯装置２０によって最も右横端の固定分草具１２及びこの固定分草具１２の前方の地面上が照明されてその左右の固定分草具１２やその付近の状況が見やすくなり、夜間でも固定分草具１２の植立穀稈に対する位置合わせを容易に行いながら作業することができる。このとき、左右の前照灯装置２０，２０のレンズ２１が前処理サイドカバー１６の前向き板部１６ａ及び横向き板部１６ｂから突出しないとか、あまり突出しないことにより、穀稈が各前照灯装置２０のレンズ２１に引っ掛かることを回避しながら作業できる。
【００２３】
移動走行を行なう際、刈取り前処理部１０が上昇非作業状態に上昇操作されて左側の前照灯装置２０も右側の前照灯装置２０も作業時よりも上向きになるが、左側の前照灯装置２０も右側の前照灯装置２０もこれらの照射向き設定のために作業時よりも自走機体から前方に離れた地面上を照射する。これにより、左右の前照灯装置２０，２０によって作業時よりも前方の地面上が照明されて走行先を容易に見ながら走行することができる。このとき路上などでは、操作スイッチ３０の操作具３１を第１点灯位置ＯＮ１に操作すると、左右の前照灯装置２０，２０は、第１前照灯２２が消灯した片点灯状態に切り換わり、第１前照灯２２による対向車の照射を回避した状態で前方を照明しながら走行することができる。
【００２４】
［別実施形態］
上記実施形態の如く前照灯装置２０を刈取り前処理部１０の両横側に設ける他、刈取り前処理部１０の運転部３から近い側又は離れた方の片側のみに設けて実施してもよく、この場合にも本発明の目的を達成することができる。
【００２５】
コンバインの他、玉ねぎ、人参など各種の作物を収穫する作業機にも本発明を適用することができる。従って、刈取り前処理部１０を収穫前処理部１０と呼称し、玉ねぎ、人参などを収穫する作業機やコンバインなどを総称して収穫機と呼称する。
【符号の説明】
【００２６】
１０        収穫前処理部
１３        引起し装置
１６        サイドカバー
１６ａ      前向き板部
１６ｂ      横向き板部
１７        組み付け孔
２０        前照灯装置
２１        レンズ
２２ａ      リフレクタ
２２ｃ      バルブ
２３ａ      リフレクタ（別のリフレクタ）
２３ｃ      バルブ（別のバルブ）
【図１】
0005400923.tif 000002
【図２】
0005400923.tif 000003
【図３】
0005400923.tif 000004
【図４】
0005400923.tif 000005
【図５】
0005400923.tif 000006
【図６】
0005400923.tif 000007
【図７】
0005400923.tif 000008